(57)【要約】【課題】  水中運動により、健康促進作用と運動効果を合わせ持ち、性別を問わず、巾広い年齢層に対応できる水中運動装置を提供する。【解決手段】  人が直立して入れ、中で体を動かすことができる大きさの浴槽１を造り、その浴槽内に浴槽用ボール２、３、５６、５７を単独、或いは、これを自由に組みあわせたものを温水と一緒に入れ、そして温水の量を給水装置５と浴槽用排水装置４により調整することで、人体を押す浴槽用ボールの抵抗と圧力を変化させることができ、この温水調節ににより健康促進作用と運動効果を発生させることができる。又使用者の体力レベルに合う浴槽用ボールの圧力設定が容易にできる水中運動装置としたものである。【選択図】図１
2005205144.tif 000002
【特許請求の範囲】
【請求項１】
使用者が直立して入れ、中で体を動かすことができる浴槽（１）に温水と浴槽用ボール（２）を人の肩下にくるように入れ、給水装置（５）と浴槽用排水装置（４）により、温水の量を調整することで、浴槽用ボール（２）が使用者の表皮を押そうとする圧力と摩擦に変化を加え、これにより健康推進作用と運動効果を発生させることを特徴とする浴槽用ボールを取り入れた水中運動装置。
【請求項２】
「請求項１」記載の浴槽用ボールを取り入れた水中運動装置に於いて給水装置（５）と浴槽用排水装置（４）により、温水の量を調整することで、使用者の表皮を押そうとする浴槽用ボール（２）の圧力と摩擦の強さを変化させて使う使用方法。
【請求項３】
「請求項１」記載の浴槽用ボールを取り入れた水中運動装置の構成要件である、弾性を有する浴槽用ボール（２）。
【請求項４】
「請求項３」における浴槽用ボール（２）の内部に永久磁石（８）を埋設した、弾性を有する浴槽用ボール（３）。
【請求項５】
「請求項３」における浴槽用ボール（２）を軽くした弾性を有する浴槽用ボール（５６）、（５７）。
【請求項６】
「請求項３、４、５」の浴槽用ボール（２）、（３）、（５６）、（５７）の本体表面を球体に近づけた多面体とした、浴槽用多面体（２ａ）、（３ａ）、（５６ａ）、（５７ａ）。
【請求項７】
「請求項１」記載の浴槽用ボールを取り入れた水中運動装置の構成要件とする浴槽用ボール（２）、（３）、（５６）、（５７）と浴槽用多面体（２ａ）、（３ａ）、（５６ａ）、（５７ａ）の自由な組み合わせにより使用する使用方法。
【請求項８】
ハンドル（９）を手動により回すことで連動するピニオン（１８）を回転させ、この回転を上下動に変えるラック（１９）を配置し、ラックの下部に上下運動する排水口（２０）を接続し、この（２０）に上下動パイプ（２１）を連結し、シリンダーパイプ（２２）に差し込むことで上下にスライドするように作られた「請求項１」の構成要件である上下運動する排水口（２０）を有する浴槽用排水装置（４）。
【発明の詳細な説明】
【技術分野】
【０００１】  浴槽内に、温水と浴槽用ボールを使用し、その温水と浴槽用ボールの中に使用者が入り、浴槽用排水装置と給水装置により温水の量を調節し、中で体を動かすことで運動効果と健康促進作用を発生させる水中運動装置。
【背景技術】
【０００２】  健康器具や運動器具又は装置は、近年開発が進み、新製品が多く市場に出ている。本発明水中運動装置の背景となるものに温水プールの水中運動があり、本発明に利用するぶら下がり健康法、磁気健康法などの参考特許文献を紹介する。
【特許文献１】特開平８−２５７１６２号公報
【特許文献２】特開２００１−２４６０３３号公報
【特許文献３】特開２０００−１５７６０５号公報
【特許文献４】特開２００３−２２０１０１号公報
本発明は、温水プールの持つ機能をできるだけ損なわず、小型化した浴槽を造り、小型化することで風呂の持つ温熱効果（水温調節可能）を取り入れ、そこに浴槽用ボール２、３を温水と同時に使用することで多効果を発生させるものとした。この浴槽用ボール２、３は、水の密度１．０に近づけた比重を０．９５〜０．９８になるように作られたものである。【０００３】  従来の温水プールの温水と、本発明浴槽用ボールの人体に及ぼす働きや圧力のかかり方の違いを図１４において説明する。
（イ）温水プールの水中運動には、空気の約８００倍の密度を持つ水により、大きな抵抗を受ける。体の動きをゆっくりすると弱い運動、早く動かすと強い運動となる。本発明浴槽用ボール２、３の使用により更に強い抵抗を受ける。しかしこれもゆっくり動かすことで弱い運動となり、早く動くことで大きな運動量を得ることができる。
（ロ）静止している水は、容器の壁及び底面または、水中にある物体に静水圧を及ぼす。静水圧の強さは、水深に比例し、深い程大きな圧力となる。図１４に於いて、水面Ｊであり、矢印の長さが長い程大きな圧力を示す。浴槽の底に近づく程大きな圧力がかかる。
（ハ）浴槽用ボールの場合は、水に浸かっていない部分は、静水圧と同じで、深くなるほど大きな圧力がかかる。図１４に於いて、ボール最上部Ｋから、水面Ｊまでの間は水面Ｊに近づくほど大きな圧力となる。ボールの押そうとする圧力は、接している物体をボールの円曲した僅かな面で押す。
（ニ）水中にある浴槽用ボールは、図１４に於いて、水面Ｊからボール最上部Ｋまでのボールの総重量が、水中の物体面に接しているボールの数で支えている。これは深さに関係なく均等に押し圧力としてかかる。
以上浴槽用ボールを使用することで従来の温水プールの水中運動より大きな抵抗を受けるが、ゆっくり動くことで弱い運動となり、ボールの押そうとする圧力を変化させることにより、別作用と効果を加えることができた。【０００４】  本発明、浴槽用排水装置４に関する特許文献を紹介する。
【特許文献５】特開２００１−３２９５９１号公報
【特許文献６】特開平９−２７９９２５号公報
上記特許文献は、浴槽下部にあたる排水口に手動又は、電動により排水する装置を取り付けたものである。本発明の浴槽内で使用する温水中に発生した老廃物などを排出する目的で上下動する排水口２０を備えた装置はなかった。
【発明の開示】
【発明が解決しようとする課題】
【０００５】  健康促進作用と運動効果を合わせ持ち、性別を問わず、巾広い年齢層に対応できる運動装置を提供する。
【課題を解決しようとする課題】
【０００６】  本発明は、人が直立して入れ、中で体を動かすことのできる大きさの浴槽１を造り、その浴槽内に浴槽用ボール２、３、５６、５７を単独、或いは、これを自由に組み合わせたものを温水と一緒に入れ、そして温水の量を、給水装置５と浴槽用排水装置４により調整することで、人体を押す浴槽用ボールの抵抗と圧力を変化させることができ、この温水調節により健康促進作用と運動効果を発生させることができる。又使用者の体力レベルに合う浴槽用ボールの圧力設定が容易にできる水中運動装置としたものである。
【発明の効果】
【０００７】  本発明浴槽用ボールを取り入れた水中運動装置の使用法に伴う作用、効果を図１、図１３を参照に説明する。これは、人により感じ方が異なる為、参考例とする。
（イ）図１は、水面Ａを示す。これはボール最上部が使用する人の肩の少し下の位置にあり最下部のボールは、浴槽の底より５０ｍｍ〜１００ｍｍの隙間を開ける。この状態にて人が浴槽に出入りし、中で運動する。運動は温水プールと同様にゆっくり動くことで弱い運動となる。同時にボールの抵抗により摩擦が起こり皮膚を洗浄する作用が働く。
（ロ）図１３の水面Ｂは、上記水面Ａの最下部のボールが浴槽の底に着いた状態である。ボールの押し圧力は同じであるが、人が中で動くとボールの逃げ場が浴槽上部しか無いためボールの抵抗は大きくなる。マッサージ効果が始まる。
（ハ）図１３の水面Ｃは、Ｂ〜Ｃ間にあるボールの重量が押し圧力として加圧され、早く大きく動くことは不可能になる。ゆっくり動いても大きな運動量が得られる、ボール圧力により指圧作用が始まる。人体に分布しているツボは、主なもので３００余りあるとされている。使用者の適圧設定により体全体を指圧、マッサージする。
（ニ）図１３の水面Ｄは、浴槽用排水装置４による水位調節の最下位置となり、ボール圧力が最大となる。体の動きは、ねじる、押す、引く、揺さぶるとなる。皮下脂肪へ刺激を与える。この状態で図１２のぶら下がりロープ５４を両手で引っ張りながら上体をねじり、揺さぶり等の動きをして脊髄を伸ばす。そしてロープを放す、そうすると腰から胸、脇、背中にあるボールが、体の中心に向かって押す圧力を加える。腰椎、胸椎部分を伸ばした状態に留めようとする、この動作を繰り返すことで整体を促す作用が起こる。水面Ｅの部分は、浴槽内での温水量調節は不可能とする。
【０００８】（ホ）浴槽用ボール３に埋設した永久磁石８により血液の循環を良くし、筋肉の凝りをほぐし、働きを活発にする。
（ヘ）体全体の大きな筋肉群を使うことで均整のとれた体を作ることができる。
（ト）水圧、又はボールの押し圧力により呼吸筋が鍛練され最大酸素摂取量の増加が期待できる。
（チ）水中により平衡感覚を養うことができる。
（リ）温度調節可能により巾広い温熱効果が得られる。低温浴（２５℃〜３５℃）〜高温浴（４２℃〜４５℃）
（ヌ）一般家庭浴槽での本発明浴槽用ボールと浴槽用多面体の重いボールか多面体を使用した場合、ボールの排水量分の温水が節約できる。通常使う温水量の４割減も可能。
【０００９】  本発明浴槽用排水装置４は、浴槽内運動により、ボールと皮膚に摩擦が起こり洗浄作用が起こる、その時皮膚の角質部分から、老廃物、脂質物、よごれなどがとり省かれる、これなどは、水面近くに浮いてくる。排水装置の排水口２０は、たえず水面に位置しているため、この状態で給水装置５により少量（毎分１，５ｌ〜２，５ｌ）を時々給水する。そうすることで浮遊する老廃物などを排出することができる。又この排水装置は、手元で容易に水位調節ができる。
【００１０】  浴槽用排水装置４には、水面位置表示器を装備している。これは、低水位より水面を上昇させる時、目標水位に排水口２０を上げ給水するが、水面を目視できないため過剰給水してしまう、目標位置に設定した矢印に水位表示矢印が同位置に並んだ時に給水を止める。これにより過剰給水が防げる。
【発明を実施するための最良の形態】
【００１１】  浴槽用ボール２、３、５６、５７は、球体であり、皮膚に優しい弾性を持つ材料により作られている為、ボールの押し圧力を高めて使用する際、ボールが固定されたものでないので人の動き方向に合わせたボール自体の回転が起こる。圧力はそのままで皮膚に適度な摩擦と圧力を与える。ボールの押し圧力により表皮にある毛穴や汗孔につまっている老廃物を押し出す。【００１２】  本発明、浴槽用ボールを取り入れた水中運動装置は、使用者が目的とする効果を得ようとした時、使用者の体力レベルの最適とする浴槽用ボールの負荷を体感しながら、給水装置５と浴槽用排水装置４の水位調節により容易に設定することができる。
【実施例１】
【００１３】  図１は、本発明「請求項１」の全体構成を示した一部断面の正面図である。１は浴槽、２は浴槽用ボール、４は浴槽用排水装置、５は給水装置。【００１４】  １は浴槽である。これは、使用者が直立して入れ、中で体を動かすことができる大きさにする。浴槽を形成する材料は、ＦＲＰ合板パネル或いは、ステンレス板で造る。ＦＲＰ合板パネルは、側面板と底板をその寸法に切断し組立て、接合部分をハンドレイアップ法により一体化する。マトリックスとなる樹脂や、強化材、表面仕上げ材は、耐水、耐熱、衛生面、強度に優れたものを使う。又、不飽和ポリエステル樹脂などを使ったＦＲＰにより成形品を大型化し、一体成形としてもよい。ステンレス板を使う場合は、分割して造られたパーツを溶接により一体製品とする。浴槽の外部には保温材を施し、浴槽の据付けには、金属補強材で周りを十分に補強する。側面と底面に排水用の穴を開け、底面の穴に排水管４０を取り付け、その４０にバルブ４１を付ける。この排水口は、本発明浴槽用排水装置４の調節不可能とする部分の排水に外部に居る係員などにより行う。側面の穴には、Ｌパイプ３９を接着し、ゴムホース３７に継なぐ。
【実施例２】
【００１５】  図２は、浴槽用ボール２の正面図であり、図３は、図２のＨ−Ｈ断面図である。
２は、浴槽用ボール本体、７は重り、５９は、断熱材、２のボールを形成する材料は、合成ゴム、ポリ塩化ビニル、シリコンゴムなどを使う。これは、成形品として半製品を作り、最後に接着剤により張り合わせる。厚さを３〜５ｍｍとする。７は、２のボール全体比重を調整する、鉛又は鉄などの金属を使う。
５９は、本発明浴槽用ボール使用時にボールと温水との間に熱平衡が起こり、温水の温度の下がりを最少に留める断熱材である。材料として発砲スチロール、ポリウレタンなどの断熱性、圧縮強度の高いものを用いる。ボールの直径は、６０ｍｍ〜８０ｍｍとする。この大きさは、ボールが人体表皮を押す時、大人の手の親指の頭で指圧する面に近づけたものである。２は比重を０．９５〜０．９８になるように作る。
浴槽用ボールは、一般家庭浴槽（浴槽の深さ８０ｃｍ以下の浅いもの限定）に使用することが出来る。【００１６】  水の密度１．０とするのは、大気圧１．０の状態の中で水温４℃としたときであり、水温が上昇すると密度も僅かに小さくなる。浴槽用ボールも温度により膨張、収縮を起こす。２の比重０．９５〜０．９８は目標数値とし、水の常温とする１５℃前後に於いてボールは、沈むことなく僅かに浮く状態とすればよい。これにより、水中を浮遊する浴槽用ボールの集合体の中で使用者が運動することを可能にしたものである。
この浴槽用ボールの内部構造は、一例として図に示したもので、目標比重の達成とボールと温水の熱平衡を最少にするための様々な方法と形を取り入れることが出来る。
【実施例３】
【００１７】  図４は、永久磁石８を埋設した浴槽用ボール３の正面図。図５は図４のＩ−Ｉ断面図。
３はボール本体。本体材料は２と同じ弾性があるものとする。６はプラスチック調整用ボールで中に空気を閉じ込めたものである。この６はボール内部の上部に寄せて配置する。ボール上部表面より５ｍｍ内とする。これはボールの重心を下部に移動し水中に於いて上下方向を安定させるためである。この状態において永久磁石８をボール中央の左右に一個づつ埋設する。ボール表面より３ｍｍ内側とし、８は円形のものを図面に示しているが、長方形のものでも良い、角は面取りを施す。７は調整重り。浴槽用ボール３は「実施例２」の浴槽用ボール２と混合して使用する為、同比重とする、これは上下に片寄りを防ぐためである。混合比は限定しない。
【実施例４】
【００１８】  図６は、浴槽用ボール５６の半断面図である。
５６はボール本体、６は調整用ボール、図面に示した５６は、一例として示したもので、５６の比重は、２（重いボール）〜５７（最軽量ボール）の範囲内で自由に設定できる。製造方法は、「実施例２、３」に凖ずる。
【実施例５】
【００１９】  図７は、浴槽用ボール５７の半断面図である。
５７はボール本体、６は調整用ボール、５７を形成する厚さは３ｍｍ以上とし、製造可能な最軽量ボールとし弾性と強度を維持する。６は割れない粘性を有するプラスチックを使用し、この６の代わりに断熱性に優れた圧縮強度の高い５９を使用することができる。
【実施例６】
【００２０】  浴槽用ボール表面を球体に近づけた多面体とした浴槽用多面体。
これは、浴槽用ボール２、３、５６、５７と内部構造は同じとし、製造方法もこれに準ずる。この多面体は、ボールより、人体表皮にかかる抵抗は大きくなる。【００２１】  上記多面体の符号は、浴槽用ボール２を多面体としたものを２ａとし、３を３ａとし、５６を５６ａとし５７を５７ａとする。浴槽用多面体も、一般家庭浴槽に使用できる。
【実施例７】
【００２２】  本発明浴槽用ボールの使用方法を一部紹介する。
（イ）比重の違うボールの組み合わせとして、浴槽下部１／３に２（重いボール）、浴槽中央１／３に５６（中間的な重さとなるボール）、浴槽上部１／３に５７（最軽量ボール）とする組み合わせ。
（ロ）浴槽用ボール５７を単独使用する場合は、温水を浴槽下部１／２程度入れ、ボール最下部に底との隙間が５０ｍｍ〜１００ｍｍになるようにする、これは、動きやすくするためでこの状態でボール最上部よりボディウオッシュ等の石鹸性分液を薄めた溶液を振りかけ使用する。
（ハ）本発明浴槽用ボールと浴槽用多面体は一般家庭浴槽で単独又はこれと組合せたものを使用出来る。この場合は浴槽の深さが８０ｃｍ以下の浅い浴槽に限定する。
例えば、重いボール２、３や重い多面体２ａ、３ａは、使用する数で異なるが、使用ボールの排水量分の温水が節約できることとなる。
【実施例８】
【００２３】  図８は、「請求項８」の浴槽用排水装置４の全体正面図である。図９は、図８Ｆ−Ｆから見た図である。４には、排水装置と水面表示器が併設されている。
ピニオン軸１０にピニオン１８を固定し、それをピニオン軸受けリング１２と樹脂リングカバー１３とピニオン軸受け金具下１４と金具上１５の抱き合わせにより止められ、これを排水装置カバー後面にボルト１６とナット１７で固定する。ピニオン１８の回転運動により上下運動するラック１９が、水面に直角に配置され、ラック上部に矢印２４と矢印支持パイフ２５を丸ネジ２６で止める。１９の下部に連動するように上下動する排水口２０を１６と１７で接続する。その２０には、ゴムパッキン２７を備えている上下動パイプ２１をネジ部により止める。２１にシリンダーパイプ２２を差し込み、シリンダーパイプ固定金具２３で３２に２６と１７で止める。この２２の内部は、シリンダーとして使用するため滑らかな仕上げを施す。この２２の下部にはゴムホース３７に接続されゴムホース止めバンド３８により止める。ピニオン軸１０の突き出し部にワッシャ１１とハンドル９を入れ１７で止める。ラック１９は、カバー３２と３３の要所にラックガイド２８を設け、上下動をスムーズにする。部品を形成する材料は、１０、１２、１８、１９、２２は、ナイロン樹脂などの摩耗性、機械的強度の高い強化プラスチックを使い、１３、１４、１５、１６、ｌ７、２３、２６はステンレスを使う。他の部品は、耐水、耐熱、強度に優れたプラスチックを使う。以上のように構成された手動により上下動する排水口２０を設けた、温水中の老廃物などを外部に排出する目的で作られた浴槽用排水装置。【００２４】  浴槽用排水装置４の図面で示したものと異なる例を紹介する。
（イ）上下動する排水口２０の下部に連結している２１とシリンダー作用する２２を、伸び縮みするジャバラ形状を持つチューブを使用することもできる。その材料には、ゴム又は軟質樹脂とし、２倍以上の伸縮性能を持つものとす。
（ロ）手動によるピニオン１８の回転を、電動によるモーター駆動とすることもできる。モーター取り付けは、ピニオン軸に回転調整ギャーを設け、それにモーター軸に取り付けられたギャーを連動するように配置する。そのためには、カバー３２にモーター設置スペースと取り付け台を設けることが必要となる。【００２５】  浴槽用排水装置４に併設されている水面表示器を、図８と図８のＧ−Ｇから見た図１０を参照に説明する。
フロート３０にフロート軸２９を固定し、フロート軸ガイド３１に２９を通し、３１を２６と１７で後面カバー３２に固定する。２９上部に矢印２４と矢印支持パイプ２５を２６で止める。２９は四角柱とし、３１のガイド部分は、２９が、がたつきなく、スムーズに動くように作る。ネジ部品以外は、プラスチックで作る。【００２６】  図１１は、浴槽用排水装置４の前面カバー平面図である。
３３は、排水装置カバー前面上、４７はネジ穴、４８は、ハンドル穴、３４は、水位表示、５３は、矢印スライド穴、３５は排水装置カバー下、３６は、排水取り込み穴、この３６は排水口２０の上下スライド巾に２列の穴を並べる。
【実施例９】
【００２７】  給水装置５を図１において説明する。
給水用温度調節器５８の取り付け板を、四角形に適度な厚さにプラスチックで作る。水栓４４とホース付きシャワー４５が使える市販されている給水用温度調節器５８を使用し、これに給水管４２と温水管４３を継なぐ。
【実施例１０】
【００２８】  図１２は、浴槽１とハシゴ４９と安全ベルト支え柱５０の取り付け位置を示した斜視図。
ハシゴ４９と安全ベルト支え柱５０を合体して造ったものであるが、別々に独立して造ってもよい。ハシゴはステンレスパイプで造る。足載せ部分には厚板、又は、フラットバーを使用しても良いが、滑り防止を施す。４９と５０は、十分な補強をする。５０の先端部にロープ５１とぶら下がりロープ５４を固定し、その５１の先に安全ベルト５２と５４の先にスベリ止め５５を取り付ける。この安全ベルトは、危険を防止するためである。浴槽内のハシゴは、浴槽側面よりｌ００ｍｍの隙間を持たす。これは、人が出入りする時に足載せ部分に入り込んだボールをこの隙間より逃がすためである。
【実施例１１】
【００２９】  本発明に必要とされるものを挙げる。
（イ）男女共、水着を着用し、男性においては、下着内に野球用カップを使用する。
（ロ）本発明、浴槽用ボールを取り入れた水中運動装置は、温水中に又は、浴槽用ボール最上部より振りかけ、摩擦を軽減する目的でボディウオッシュなど市販されたものを使うこともできる。
（ハ）本発明使用時は、浴槽外部に係員等が配置しているものとする。
【産業上の利用可能性】
【００３０】  本発明、浴槽用ボールを取り入れた水中運動装置は、性別を問わず、巾広い年齢層に利用可能とし、スイミングクラブ、健康ランド、スパ、フィットネスクラブ、エステティッククラブ、宿泊施設（ホテル、保養所）又は、本発明を置く専業施設とすることも可能である。【００３１】  本発明、浴槽用ボールと、浴槽用多面体の重い２、３、２ａ、３ａを家庭用浴槽で使用することで、浴槽に入れる温水を通常使う量の４割減とすることも可能になり、水の節約になる。これにより一般家庭での使用も利用価値が大きい。
【図面の簡単な説明】
【００３２】
【図１】「請求項１」の全体構成を一部断面にした正面図（実施例１）
【図２】浴槽用ボール２の正面図（実施例２）
【図３】図２のＨ−Ｈ断面図（実施例２）
【図４】永久磁石を埋設した浴槽用ボール３の正面図（実施例３）
【図５】図４のＩ−Ｉ断面図（実施例３）
【図６】浴槽用ボール５６の半断面図（実施例４）
【図７】浴槽用ボール５７の半断面図（実施例５）
【図８】浴槽用排水装置４の全体正面図（実施例８）
【図９】図８のＦ−Ｆから見た図（実施例８）
【図１０】図８のＧ−Ｇから見た図（実施例８）
【図１１】排水装置前面カバー平面図（実施例８）
【図１２】浴槽とハシゴとベルト支え柱の配置斜視図（実施例１０）
【図１３】浴槽内の水位を示した図
【図１４】水とボールの圧力分布図
【符号の説明】
【００３３】    １  浴槽
２  浴槽用ボール
２ａ  浴槽用多面体
３  永久磁石を埋設した浴槽用ボール
３ａ  永久磁石を埋設した浴槽用多面体
４  浴槽用排水装置
５  給水装置
６  プラスチック調整用ボール
７  重り
８  永久磁石
９  ハンドル
１０  ピニオン軸
１１  ワッシャ
１２  ピニオン軸受け樹脂リング
１３  樹脂リングカバー
１４  ピニオン軸受け金具下
１５  ピニオン軸受け金具上
１６  ボルト
１７  ナット
１８  ピニオン
１９  ラック
２０  上下動する排水口
２１  上下動パイプ
２２  シリンダーパイプ
２３  シリンダーパイプ固定金具
２４  矢印
２５  矢印支持パイプ
２６  丸ネジ
２７  ゴムパッキン
２８  ラックガイド
２９  フロート軸
３０  フロート
３１  フロート軸ガイド
３２  排水装置カバー後面
３３  排水装置カバー前面上
３４  水位表示
３５  排水装置カバー前面下
３６  排水取り込み穴
３７  ゴムホース
３８  ホース止めバンド
３９  Ｌパイプ
４０  排水パイプ
４１  バルブ
４２  給水管
４３  温水管
４４  水栓
４５  ホース付シャワー
４６  埋め込ナット
４７  ネジ穴
４８  ハンドル穴
４９  ハシゴ
５０  安全ベルト支え柱
５１  ロープ
５２  安全ベルト
５３  矢印スライド穴
５４  ぶら下がりロープ
５５  スベリ止
５６  浴槽用ボール
５６ａ  浴槽用多面体
５７  浴槽用ボール
５７ａ  浴槽用多面体
５８  給水用温度調節器
５９  断熱材
【図１】
2005205144.tif 000003
【図２】
2005205144.tif 000004
【図３】
2005205144.tif 000005
【図４】
2005205144.tif 000006
【図５】
2005205144.tif 000007
【図６】
2005205144.tif 000008
【図７】
2005205144.tif 000009
【図８】
2005205144.tif 000010
【図９】
2005205144.tif 000011
【図１０】
2005205144.tif 000012
【図１１】
2005205144.tif 000013
【図１２】
2005205144.tif 000014
【図１３】
2005205144.tif 000015
【図１４】
2005205144.tif 000016